(57)【要約】【課題】  省電力および盗難防止を達成できる冷蔵冷凍箱用照明装置を提供する。【解決手段】  検知警告装置１と、第一手動スイッチ２と、旋回スイッチ３と、内部回路４と、交流電源５とを含む。第一手動スイッチ２は無ヒューズスイッチであり、無ヒューズスイッチは過電流保護装置を有する。内部回路４は、箱内照明回線４１と、箱外照明回線４２と、制御回線４３とから構成されている。検知警告装置１は、内部回路４と交流電源５との間に接続している。交流電源５の電源端５１が旋回スイッチ３と接続し、旋回スイッチ３は箱内照明回線４１を通じて第一手動スイッチ２と制御回線４３とに接続し、制御回線４３は箱内照明回線４１と直列接続することになるので、箱内照明回線４１は箱外照明回線４２と並列接続して交流電源５のアース端５２と接続する。【選択図】    図１
0003107001.tif 000002
【実用新案登録請求の範囲】
【請求項１】
検知警告装置と、第一手動スイッチと、旋回スイッチと、内部回路と、交流電源とを備える冷蔵冷凍箱用照明装置において、
前記第一手動スイッチは無ヒューズスイッチであり、前記無ヒューズスイッチは過電流保護装置を有し、前記内部回路は箱内照明回線と、箱外照明回線と、制御回線とから構成され、前記検知警告装置は前記内部回路と前記交流電源との間に接続し、前記交流電源の電源端が旋回スイッチと接続し、前記旋回スイッチは箱内照明回線を通じて第一手動スイッチと制御回線とに接続し、箱内照明回線が制御回線と接続した後、前記制御回線は箱内照明回線と直列接続し、前記箱内照明回線は箱外照明回線と並列接続して前記交流電源のアース端と接続することを特徴とする冷蔵冷凍箱用照明装置。
【請求項２】
前記検知警告装置は、制御器と、熱センサーと、補助回路と、第二手動スイッチと、ブザーと、赤光警告電灯とから構成されるものであることを特徴とする請求項１に記載の冷蔵冷凍箱用照明装置。
【請求項３】
前記第一手動スイッチは、箱内照明回線と制御回線との交差部分に設置され、前記制御回線は電磁接触器の他の接点と接続し、前記制御回線は箱内照明回線と直列接続することを特徴とする請求項１に記載の冷蔵冷凍箱用照明装置。
【考案の詳細な説明】
【技術分野】
【０００１】
本考案は、冷蔵冷凍箱用照明装置に係り、特に、検知警告装置によって温度変化を検知して、制御器によって箱内照明装置をオンにし、ブザーを鳴らすことにより、省電力および盗難防止を同時に達成できる冷蔵冷凍箱用照明装置に関するものである。
【背景技術】
【０００２】
図４に示すのは、従来の冷蔵冷凍箱用照明装置であり、それは、旋回スイッチ６と、箱内電灯６１と、箱外電灯６２とから構成されるものであって、前記箱内電灯６１と箱外電灯６２とは並列接続する状態であり、前記旋回スイッチ６は二段式の設計であり、箱内電灯６１と箱外電灯６２とを制御し、その動作は、休みのときには、前記旋回スイッチ６が左側に位置し、照明装置がオフ状態であり、照明装置をオンにしようとするときには、手動で前記旋回スイッチ６を旋回し、一段目のスイッチをオンにすることにより、箱外電灯６２がオン状態になり、次に、二段目のスイッチをオンにすることにより、箱内電灯６１がオン状態になり、そうすると、冷蔵冷凍箱用照明装置は冷蔵箱または冷凍箱を照明し、消費者は商品を選ぶことができる。
【０００３】
上記冷蔵冷凍箱用照明装置の使用上の機能は皆に受け入れられているが、環境保全意識が高まり、地球資源が減っているので、省エネが大きな課題になっている。上記冷蔵冷凍箱用照明装置は、消費者が商品を選ばないときにも、箱内電灯６１および箱外電灯６２が継続してオンになるので、上記冷蔵冷凍箱用照明装置は電力を無駄にするものであり、ランニングコストが無駄に向上する。
【考案の開示】
【考案が解決しようとする課題】
【０００４】
本考案の主な目的は、検知警告装置によって温度変化を検知して、その温度変化を制御器に通じて、制御回線をオンまたはオフにすることにより、箱内電灯のオンまたはオフ状態を制御し、自動制御により省エネ効果を達成できる冷蔵冷凍箱用照明装置を提供する。
【０００５】
本考案の次の目的は、検知警告装置によって温度変化を検知して、その温度変化を赤光警告電灯およびブザーに通じて、赤光警告電灯を電灯し、ブザーを鳴らすことにより、盗難防止を達成できる冷蔵冷凍箱用照明装置を提供する。
【課題を解決するための手段】
【０００６】
上記目的を達成するためになされた本考案は、検知警告装置と、第一手動スイッチと、旋回スイッチと、内部回路と、交流電源とを含む冷蔵冷凍箱用照明装置において、前記第一手動スイッチは無ヒューズスイッチであり、前記無ヒューズスイッチは過電流保護装置を有し、且つ前記内部回路は箱内照明回線と、箱外照明回線と、制御回線とから構成され、前記検知警告装置は前記内部回路と前記交流電源との間に接続し、前記交流電源の電源端が旋回スイッチと接続し、前記旋回スイッチは箱内照明回線を通じて第一手動スイッチと制御回線とに接続し、箱内照明回線が制御回線と接続した後、前記制御回線は箱内照明回線と直列接続することになるので、前記箱内照明回線は箱外照明回線と並列接続して前記交流電源のアース端と接続することを特徴とする冷蔵冷凍箱用照明装置であることを要旨としている。
【０００７】
本考案に係る冷蔵冷凍箱用照明装置によれば、次のような効果がある。
（イ）検知警告装置によって温度変化を検知して、その温度変化を制御器に通じて、制御回線をオンまたはオフにすることにより、箱内電灯のオンまたはオフ状態を制御し、自動制御により省エネ効果を達成できる。
【０００８】
（ロ）検知警告装置によって温度変化を検知して、その温度変化を赤光警告電灯およびブザーに通じて、赤光警告電灯を電灯し、ブザーを鳴らすことにより、盗難防止を達成できる。
【考案を実施するための最良の形態】
【０００９】
以下、添付図面を参照して、本考案の好適な実施の形態を詳細に説明する。
まず、図１から図３を参照する。図中に示すのは、本考案を説明するためのものだけであり、本考案はそれらの構造に限定されない。
【００１０】
本考案の一実施例による冷蔵冷凍箱用照明装置は、図１に示すように、検知警告装置１と、第一手動スイッチ２と、旋回スイッチ３と、内部回路４と、交流電源５とを含む。前記検知警告装置１は前記内部回路４と前記交流電源５との間に接続し、本実施例では、前記検知警告装置１は熱センサー１１と、制御器１２と、補助回路１３と、第二手動スイッチ１４と、ブザー１５と、赤光警告電灯１６とから構成されるものである。前記補助回路１３において、前記制御器１２と赤光警告電灯１６とブザー１５とが並列接続し、本実施例では、前記制御器１２が電磁接触器であり、且つ前記赤光警告電灯１６はブザー１５と並列接続した後、前記第二手動スイッチ１４により制御される。また、本実施例では、前記第一手動スイッチ２は無ヒューズスイッチであり、前記第二手動スイッチ１４が片投スイッチであり、且つ前記無ヒューズスイッチは過電流保護装置を有する。本実施例では、前記内部回路４は、箱内照明回線４１と、箱外照明回線４２と、制御回線４３とから構成されている。前記交流電源５の電源端５１が旋回スイッチ３と接続し、前記旋回スイッチ３は内部回路４によって箱内照明回線４１と箱外照明回線４２とに接続し、前記箱内照明回線４１が第一手動スイッチ２と接続し、且つ前記第一手動スイッチ２は箱内照明回線４１と制御回線４３との交差点に設置されている。なお、前記制御回線４３は電磁接触器の他の接点と接続し、且つ前記制御回線４３が箱内照明回線４１と直列接続することにより、前記箱内照明回線４１は箱外照明回線４２と並列接続して前記交流電源５のアース端５２と接続する。
【００１１】
売り場での使用は、図１に示すように、作業者が手動方式で旋回スイッチ３をオンにし、本実施例では、前記旋回スイッチ３が二段式の設計であり、一段目のスイッチに旋回するときには、箱外照明回線４２と電気的に連通するので、箱外照明装置４２１がオンになり、照明を始め、次に、二段目のスイッチに旋回するときには、箱内照明回線４１と電気的に連通するので、箱内照明装置４２１がオンになり、照明を始める。また、第一手動スイッチ２により手動で箱内照明回線４１をオンまたはオフにすることにより、箱内照明装置４１１のオンまたはオフを制御することもできる。      
【００１２】
省エネの観点から制御すれば、図２に示すように、前記第一手動スイッチ２をオフにし、このとき、熱センサー１１の電源が補助回路１３に供給され、なお、箱内照明装置４１１が制御回線４３に制御され、消費者が上記冷蔵冷凍箱に近接するときに、前記熱センサー１１は温度の変化を検知して、信号を制御器１２に伝送することにより、電磁接触器のコイルが磁気を発生し、主要接点ＲとＵとが導通状態になり、箱内照明装置４１１がオンになる。逆に、消費者が去るときには、前記熱センサー１１が時間計数を開始し、所定時間の間に消費者が近接しないと、前記熱センサー１１は温度変化を検知できないので、制御器１２に出力する信号が中止することにより、電磁接触器のコイルの磁気が消え、主要接点ＲとＵとが断線状態になり、箱内照明装置４１１もオフになる。上記の動作により、箱内照明回線４１のオンまたはオフ状態が自動的に制御されるので、省エネの目的を達成することができ、電気代も低減できる。
【００１３】
また、売り場が休みのときには、旋回スイッチ３と第一手動スイッチ２とを同時にオフにして、第二手動スイッチ１４をオンにし、図３に示すように、不審な者が冷蔵冷凍箱に近接するときに、前記熱センサー１１は温度の変化を検知して、信号を補助回路１３を経由してブザー１５に伝送し、このとき、赤光警告電灯１６が点燈し、ブザー１５も鳴り始めることにより、不審な者はびっくりして逃走するので、盗難防止の効果を達成することができる。
もちろん、本考案は他に色々な実施形態があり、例えば、前記熱センサーは、図１から図３の破線に示すように、別の電源と接続することもできる。
【図面の簡単な説明】
【００１４】
【図１】本考案の一実施例による冷蔵冷凍箱用照明装置を示す回路図である。
【図２】本考案の一実施例による冷蔵冷凍箱用照明装置を示す回路図である。
【図３】本考案の一実施例による冷蔵冷凍箱用照明装置を示す回路図である。
【図４】従来の冷蔵冷凍箱用照明装置の回路図である。
【符号の説明】
【００１５】
１  検知警告装置、２  第一手動スイッチ、３  旋回スイッチ、４  内部回路、５  交流電源、１１  熱センサー、１２  制御器、１３  補助回路、１４  第二手動スイッチ、１５  ブザー、１６  赤光警告電灯、４１  箱内照明回線、４２  箱外照明回線、４３  制御回線、５１  電源端、５２  アース端、４１１  箱内照明装置、４２１  箱外照明装置
【図１】
0003107001.tif 000003
【図２】
0003107001.tif 000004
【図３】
0003107001.tif 000005
【図４】
0003107001.tif 000006